(57)【特許請求の範囲】
【請求項１】
ディスク載置用ターンテーブルを搭載したトラバースシャーシの中央開口部に光ピック
アップがディスクの半径方向に沿って往復移動可能に配置され、該光ピックアップをラッ
ク・ピニオン機構及びウォーム機構を介して往復移動させるためのフィードモータがトラ
バースシャーシ上に配置され、前記ウォーム機構のウォ−ムホイールに噛合するウォ−ム
ギヤの遊端を支持する合成樹脂製ウォーム軸受が、互いに直角に一体接合した底板及び側
板を備えた軸受本体と、該軸受本体の側板から側方に延びる弾性変位可能な略Ｌ字状アー
ムとからなり、前記中央開口部の側縁から略直角に折り曲げたエッジ片に前記側板の両側
縁に一体形成した一対の引掛片を引っ掛け、前記底板をビスでトラバースシャーシに固定
することにより、前記アームの先端軸受部を前記ウォ−ムギヤの遊端に当て付けており、
ターンテーブルによりディスクを高速回転させ、フィードモータによりウォ−ム機構及び
ラック・ピニオン機構を介して光ピックアップを往復移動させ、該光ピックアップからデ
ィスクに向けてレーザ光を投射し、その反射光に基づいてディスクに記録されている情報
を読み取るようにしたディスク装置において、前記ビスを省略し、前記両引掛片間の間隔
と同一または若干小さい横幅の立上り片が前記エッジ片に一体突設され、前記側板の中央
に所定間隔をおいて両引掛片と平行する一対のスリットを形成することにより切り残した
弾性変位可能な弾性片の先端にフックが一体形成される共に、該フックに対向して前記エ
ッジ片にフック孔が貫設されており、前記立上り片の両側縁に両引掛片を係合させると共
に、該両引掛片をエッジ片に引っ掛け、且つ、フックをフック孔に嵌入させることにより
、軸受本体がトラバースシャーシ上に固定され、前記アームの基端部に補強突起部が一体
突設され、前記底板にトラバースシャーシのねじ孔に対向してビス挿通部が形成されてい
ることを特徴とするディスク装置。
【請求項２】
ディスク載置用ターンテーブルを搭載したトラバースシャーシの中央開口部に光ピック
アップがディスクの半径方向に沿って往復移動可能に配置され、該光ピックアップをラッ
ク・ピニオン機構及びウォーム機構を介して往復移動させるためのフィードモータがトラ
バースシャーシ上に配置され、前記ウォーム機構のウォ−ムホイールに噛合するウォ−ム
ギヤの遊端を支持する合成樹脂製ウォーム軸受が、互いに直角に一体接合した底板及び側
板を備えた軸受本体と、該軸受本体の側板から側方に延びる弾性変位可能な略Ｌ字状アー
ムとからなり、前記中央開口部の側縁から略直角に折り曲げたエッジ片に前記側板の両側
縁に一体形成した一対の引掛片を引っ掛け、前記底板をトラバースシャーシに固定するこ
とにより、前記アームの先端軸受部を前記ウォ−ムギヤの遊端に当て付けており、ターン
テーブルによりディスクを高速回転させ、フィードモータによりウォ−ム機構及びラック
・ピニオン機構を介して光ピックアップを往復移動させ、該光ピックアップからディスク
に向けてレーザ光を投射し、その反射光に基づいてディスクに記録されている情報を読み
取るようにしたディスク装置において、前記両引掛片間の間隔と同一または若干小さい横
幅の立上り片が前記エッジ片に一体突設され、前記側板の中央に所定間隔をおいて両引掛
片と平行する一対のスリットを形成することにより切り残した弾性変位可能な弾性片の先
端にフックが一体形成される共に、該フックに対向して前記エッジ片にフック孔が貫設さ
れており、前記立上り片の両側縁に両引掛片を係合させると共に、該両引掛片をエッジ片
に引っ掛け、且つ、フックをフック孔に嵌入させることにより、軸受本体がトラバースシ
ャーシ上に固定されていることを特徴とするディスク装置。
【請求項３】
前記アームの基端部に補強突起部が一体突設されていることを特徴とする請求項２に記
載のディスク装置。
【請求項４】
前記底板に、トラバースシャーシのねじ孔に対向してビス挿通部が形成されていること
を特徴とする請求項２または３に記載のディスク装置。
【発明の詳細な説明】
【技術分野】
【０００１】
本発明は、例えばＤＶＤプレーヤやＤＶＤレコーダなどのディスク装置に関し、特に、
安価な構造でウォ−ム軸受をトラバースシャーシに迅速容易に固定するものである。
【背景技術】
【０００２】
ディスク装置の技術の一例として図７〜図９に示すものがある。これはＤＶＤプレーヤ
であって、前面にディスク挿入口１ａを有する筐体１内にトレイ２を前後進ａ，ｂ可能に
支持するローダーシャーシ３が設けられ、該ローダーシャーシ３内に配置した金属板製ト
ラバースシャーシ４の後部が枢支軸５を介してそのローダーシャーシ３に上下動ｃ，ｄ可
能に枢支され、前記トラバースシャーシ４の前部にディスクＤ載置用ターンテーブル６付
きスピンドルモータ７が搭載されると共に、該トラバースシャーシ４の中央開口部４ａに
対物レンズＯＬ付き光ピックアップ８が配置され、該光ピックアップ８の一側部に形成し
た係合部８ａを中央開口部４ａの一側縁に設けたガイドレール９に係合させると共に、そ
の光ピックアップ８の他側部に形成したガイド孔８ｂを中央開口部４ａの他側縁に沿って
架設したガイドシャフト１０に係合させることにより、光ピックアップ８がディスクＤの
半径方向に沿って往復移動可能に形成されている。
【０００３】
図７に示すように、光ピックアップ８がラック・ピニオン機構１２及びウォ−ム機構１
３を介してフィードモータ１４に連動連結され、該フィードモータ１４によりギヤ機構１
５を介して正逆回転ｅ，ｆされる従動ピニオン１６がローダーシャーシ３の前部に配置さ
れている。
【０００４】
前記従動ピニオン１６に係脱可能に噛合するスライドラック１８ａを一体形成したカム
スライダ１８がローダーシャーシ３の前部に前後進ａ，ｂ方向とは直交する左右方向ｇ，
ｈに沿ってスライド可能に配置され、該カムスライダ１８のカム溝１８ｂに嵌入するカム
ピン１９がトラバースシャーシ４の前面に一体突設され、前記カムスライダ１８にトリガ
ープレート２１が一体形成され、前記ラック・ピニオン機構１２のラック前端に突設した
操作ピン２２に対向してトリガープレート２１の下面に斜めに傾斜する操作溝２３が形成
されている。図８中、２５はローダーシャーシ３の両側板間に架設した横桟２６の中央収
納部２６ａ内に一定範囲内昇降可能に配置したクランパであって、該クランパ２５の下面
に設けたマグネットの磁力により、そのクランパ２５とターンテーブル６とでディスクＤ
をクランプする。
【０００５】
情報読取動作を説明すると、図８の実線はプレイモードを示しており、ディスクＤをタ
ーンテーブル６とクランパ２５とでクランプした状態で、スピンドルモータ７によりター
ンテーブル６を介してディスクＤを高速回転させ、フィードモータ１４を駆動してウォ−
ム機構１３及びラック・ピニオン機構１２を介して光ピックアップ８を前後進ａ，ｂさせ
、該光ピックアップ８からディスクＤにレーザ光を投射し、その反射光に基づいてディス
クＤに記録されている映像情報の再生を行う。
【０００６】
上記構成において、トレイオープン時には、光ピックアップ８を前進ａさせることによ
り、操作ピン２２が操作溝２３内に入って該操作溝２３の傾斜状内側面を押すことにより
、カムスライダ１８が矢印ｇ方向にわずかにスライドされ、スライドラック１８ａを従動
ピニオン１６に噛合させる。この噛合状態で従動ピニオン１６を正転ｅさせることにより
、カムスライダ１８を矢印ｇ方向にスライドさせ、カム溝１８ｂ及びカムピン１９を介し
てトラバースシャーシ４を下動ｄさせことにより、ディスクＤをターンテーブル６からト
レイ２上に移し換える（図８仮想線参照）。続いて、スライドラック１８ａが従動ピニオ
ン１６から離間され、それとほぼ同時に、従動ピニオン１６に一体形成した大径ピニオン
１６ａにトレイ２の下面のラック（図示せず）が噛合され、該大径ピニオン１６ａの正転
ｅによりトレイ２が前進ａされる（図８仮想線参照）。そのオープン状態のトレイ２から
ディスクＤを取り出したり新たなディスクＤをトレイ２上に載置する。
【０００７】
トレイイン時には上記とは逆の操作がなされる。
【０００８】
前記ウォ−ム機構１３は、図９に示すように、光ピックアップ８にラック・ピニオン機
構１２を介して連動連結されたウォ−ムホイール１３Ａと、フィードモータ１４の回転軸
に連結されてウォ−ムホイール１３Ａに噛合されたウォ−ムギヤ１３Ｂとを有し、該ウォ
−ムギヤ１３Ｂをウォ−ムホイール１３Ａから離間しないように支持するための合成樹脂
製ウォ−ム軸受２８が設けられている。
【０００９】
従来、前記ウォ−ム軸受２８は、図１０〜図１２に示すように、互いに直角に一体接合
した底板２８ａ及び側板２８ｂを備えた軸受本体２８Ａと、該軸受本体２８Ａの側板２８
ｂの一側縁に一体形成され該側板２８ｂと平行して側方に延びる弾性変位可能な略Ｌ字状
アーム２８Ｂとからなり、前記トラバースシャーシ４の中央開口部４ａの側縁から略直角
に折り曲げたエッジ片２９に対向して側板２８ｂの両側縁に左右一対の略Ｌ字状引掛片２
８ｃが一体形成され、アーム２８Ｂの先端にウォ−ムギヤ１３Ｂの遊端を支持するための
先端軸受部２８ｄが一体形成され、底板２８ａと側板２８ｂとの間に一対の補強板２８ｅ
が一体形成され、トラバースシャーシ４に貫設した一対の位置決め孔３０に対向して底板
２８ａの下面に一対の位置決めピン２８ｆが一体突設され、アーム２８Ｂの基端部と側板
２８ｂの他側縁との間に補強枠２８ｇが一体形成され、トラバースシャーシ４に形成した
ねじ孔３１に対向して底板２８ａにビス３２を挿通するためのビス挿通孔３３が貫設され
ている。
【００１０】
ウォ−ム軸受２８の固定手順を説明すると、軸受本体２８Ａの側板２８ｂをエッジ片２
９に当接させると共に、両引掛片２８ｃをエッジ片２９に引っ掛け、且つ、位置決めピン
２８ｆを位置決め孔３０に嵌入させることにより、軸受本体２８Ａをトラバースシャーシ
４上の所定位置に位置決めした後、ビス挿通孔３３からねじ孔３１にビス３２をねじ込む
ことにより、底板２８ａをトラバースシャーシ４に固定し、アーム２８Ｂの先端軸受部２
８ｄをウォ−ムギヤ１３Ｂの遊端に当て付ける。なお、本発明に関連する技術として特許
文献１に記載したものがある。
【特許文献１】特開平２００５−４２７９３号公報
【発明の開示】
【発明が解決しようとする課題】
【００１１】
上記従来の構成では、ウォ−ム軸受２８をトラバースシャーシ４に固定するためにビス
３２を用いており、そのビス３２を用いている分だけ部品点数が増加すると共に、トラバ
ースシャーシ４にねじ孔３１を形成する必要があり、コストアップになっている。また、
ビス３２のねじ込み操作に手間がかかって面倒である。
【００１２】
本発明は、上記従来の欠点に鑑み、安価な構造でウォ−ム軸受をトラバースシャーシに
迅速容易に固定することができるようにしたディスク装置を提供することを目的としてい
る。
【課題を解決するための手段】
【００１３】
上記目的を達成するため、請求項１に記載の発明は、ディスク載置用ターンテーブルを
搭載したトラバースシャーシの中央開口部に光ピックアップがディスクの半径方向に沿っ
て往復移動可能に配置され、該光ピックアップをラック・ピニオン機構及びウォーム機構
を介して往復移動させるためのフィードモータがトラバースシャーシ上に配置され、前記
ウォーム機構のウォ−ムホイールに噛合するウォ−ムギヤの遊端を支持する合成樹脂製ウ
ォーム軸受が、互いに直角に一体接合した底板及び側板を備えた軸受本体と、該軸受本体
の側板から側方に延びる弾性変位可能な略Ｌ字状アームとからなり、前記中央開口部の側
縁から略直角に折り曲げたエッジ片に前記側板の両側縁に一体形成した一対の引掛片を引
っ掛け、前記底板をビスでトラバースシャーシに固定することにより、前記アームの先端
軸受部を前記ウォ−ムギヤの遊端に当て付けており、ターンテーブルによりディスクを高
速回転させ、フィードモータによりウォ−ム機構及びラック・ピニオン機構を介して光ピ
ックアップを往復移動させ、該光ピックアップからディスクに向けてレーザ光を投射し、
その反射光に基づいてディスクに記録されている情報を読み取るようにしたディスク装置
において、前記ビスを省略し、前記両引掛片間の間隔と同一または若干小さい横幅の立上
り片が前記エッジ片に一体突設され、前記側板の中央に所定間隔をおいて両引掛片と平行
する一対のスリットを形成することにより切り残した弾性変位可能な弾性片の先端にフッ
クが一体形成される共に、該フックに対向して前記エッジ片にフック孔が貫設されており
、前記立上り片の両側縁に両引掛片を係合させると共に、該両引掛片をエッジ片に引っ掛
け、且つ、フックをフック孔に嵌入させることにより、軸受本体がトラバースシャーシ上
に固定され、前記アームの基端部に補強突起部が一体突設され、前記底板にトラバースシ
ャーシのねじ孔に対向してビス挿通部が形成されていることを特徴としている。
【００１４】
請求項２に記載の発明は、ディスク載置用ターンテーブルを搭載したトラバースシャー
シの中央開口部に光ピックアップがディスクの半径方向に沿って往復移動可能に配置され
、該光ピックアップをラック・ピニオン機構及びウォーム機構を介して往復移動させるた
めのフィードモータがトラバースシャーシ上に配置され、前記ウォーム機構のウォ−ムホ
イールに噛合するウォ−ムギヤの遊端を支持する合成樹脂製ウォーム軸受が、互いに直角
に一体接合した底板及び側板を備えた軸受本体と、該軸受本体の側板から側方に延びる弾
性変位可能な略Ｌ字状アームとからなり、前記中央開口部の側縁から略直角に折り曲げた
エッジ片に前記側板の両側縁に一体形成した一対の引掛片を引っ掛け、前記底板をトラバ
ースシャーシに固定することにより、前記アームの先端軸受部を前記ウォ−ムギヤの遊端
に当て付けており、ターンテーブルによりディスクを高速回転させ、フィードモータによ
りウォ−ム機構及びラック・ピニオン機構を介して光ピックアップを往復移動させ、該光
ピックアップからディスクに向けてレーザ光を投射し、その反射光に基づいてディスクに
記録されている情報を読み取るようにしたディスク装置において、前記両引掛片間の間隔
と同一または若干小さい横幅の立上り片が前記エッジ片に一体突設され、前記側板の中央
に所定間隔をおいて両引掛片と平行する一対のスリットを形成することにより切り残した
弾性変位可能な弾性片の先端にフックが一体形成される共に、該フックに対向して前記エ
ッジ片にフック孔が貫設されており、前記立上り片の両側縁に両引掛片を係合させると共
に、該両引掛片をエッジ片に引っ掛け、且つ、フックをフック孔に嵌入させることにより
、軸受本体がトラバースシャーシ上に固定されていることを特徴としている。
【００１５】
請求項３に記載の発明は、請求項２に記載の発明において、前記アームの基端部に補強
突起部が一体突設されていることを特徴としている。
【００１６】
請求項４に記載の発明は、請求項２または３に記載の発明において、前記底板に、トラ
バースシャーシのねじ孔に対向してビス挿通部が形成されていることを特徴としている。
【発明の効果】
【００１７】
請求項１に記載の発明は実施の一形態（図１〜図６参照）に対応するものであって、こ
れによれば、ウォ−ム軸受をトラバースシャーシに固定するにあたって、エッジ片に一体
突設した立ち上がり片の両側縁に軸受本体の両引掛片を係合させると共に、該両引掛片を
エッジ片に引っ掛け、且つ、軸受本体の弾性片を弾性変位させて、該弾性片の先端に一体
形成したフックをエッジ片のフック孔に嵌入させるだけでよく、その固定作業を迅速容易
に行うことができる。
【００１８】
また、両引掛片を立上り片の両側縁に係合させることによりエッジ片の長手方向に沿う
前後進方向の負荷に対抗し、両引掛片をエッジ片に引っ掛けることにより前後進方向とは
直交する左右方向の負荷に対抗し、フックをフック孔に嵌入させることにより前後進及び
左右方向に対して直交する上下方向の負荷に対抗するようになっており、従来必要であっ
たウォ−ム軸受固定用ビスが不要であると共に、そのビスをねじ込むためのねじ孔も不要
であるから、その不要となった分だけ安価な構造にすることができる。
【００１９】
更に、補強突起部によりアームの基端部が補強されているから、該アームを比較的強く
弾性変位させてそのアームの先端軸受部をウォ−ムギヤの遊端に確実に押し付けて、該ウ
ォ−ムギヤがウォ−ムホイールから離間しないように支持することができる。
【００２０】
しかも、軸受本体の底板に形成したビス挿通部を通ってトラバースシャーシのねじ孔に
ビスをねじ込むことにより、念のため、従来と同じようにビスで軸受本体をトラバースシ
ャーシに固定することもできる。
【００２１】
請求項２に記載の発明は基本形態に対応するものであって、これによれば、ウォ−ム軸
受をトラバースシャーシに固定するにあたって、エッジ片に一体突設した立ち上がり片の
両側縁に軸受本体の両引掛片を係合させると共に、該両引掛片をエッジ片に引っ掛け、且
つ、軸受本体の弾性片を弾性変位させて、該弾性片の先端に一体形成したフックをエッジ
片のフック孔に嵌入させるだけでよく、その固定作業を迅速容易に行うことができる。
【００２２】
また、両引掛片を立上り片の両側縁に係合させることによりエッジ片の長手方向に沿う
前後進方向の負荷に対抗し、両引掛片をエッジ片に引っ掛けることにより前後進方向とは
直交する左右方向の負荷に対抗し、フックをフック孔に嵌入させることにより前後進及び
左右方向に対して直交する上下方向の負荷に対抗するようになっており、従来必要であっ
たウォ−ム軸受固定用ビスが不要であると共に、そのビスをねじ込むためのねじ孔も不要
であるから、その不要となった分だけ安価な構造にすることができる。
【００２３】
請求項３に記載の発明によれば、補強突起部によりアームの基端部が補強されているか
ら、該アームを比較的強く弾性変位させてそのアームの先端軸受部をウォ−ムギヤの遊端
に確実に押し付けて、該ウォ−ムギヤがウォ−ムホイールから離間しないように支持する
ことができる。
【００２４】
請求項４に移載の発明によれば、軸受本体の底板に形成したビス挿通部を通ってトラバ
ースシャーシのねじ孔にビスをねじ込むことにより、念のため、従来と同じようにビスで
軸受本体をトラバースシャーシに固定することもできる。
【発明を実施するための最良の形態】
【００２５】
図１〜図５は本発明の実施の一形態であるＤＶＤプレーヤ（ディスク装置）を示すもの
であって、ウォ−ム軸受２８を形成する軸受本体２８Ａの側板２８ｂに一体形成した両引
掛片２８ｃ間の間隔ｔ１と同一または若干小さい横幅ｔ２の立上り片３５がトラバースシ
ャーシ４のエッジ片２９に一体突設され、前記側板２８ｂの中央に所定間隔をおいて両引
掛片２８ｃと平行する一対のスリット３６を形成することにより切り残した弾性変位可能
な弾性片３７の先端にフック３７ａが一体形成される共に、該フック３７ａに対向してエ
ッジ片２９にフック孔３８が貫設され、前記弾性片３７の弾性変位を許容するために、該
弾性片３７を取り囲むようにして両スリット３６に連通する空隙部３９が底板２８ａに形
成されている。上記以外の構成は図７〜図１２に示す構成とほぼ同じであるから、同一部
分に同一符号を付してその説明を省略する。
【００２６】
ウォ−ム軸受２８の固定手順を説明すると、立上り片３５の両側縁３５ａに両引掛片２
８ｃを係合させると共に、該両引掛片２８ｃをエッジ片２９に引っ掛け、且つ、位置決め
ピン２８ｆを位置決め孔３０に嵌入させ、それと同時に、弾性片３７を弾性変位させてフ
ック３７ａをフック孔３８に嵌入させることにより、軸受本体２８Ａをトラバースシャー
シ４に固定し、アーム２８Ｂの先端軸受部２８ｄをウォ−ムギヤ１３Ｂの遊端に当て付け
る。
【００２７】
上記構成によれば、ウォ−ム軸受２８をトラバースシャーシ４に固定するにあたって、
立上り片３５の両側縁３５ａに両引掛片２８ｃを係合させると共に、該引掛片２８ｃをエ
ッジ片２９に引っ掛け、且つ、弾性片３７を弾性変位させてフック３７ａをフック孔３８
に嵌入させるだけでよく、その固定作業を迅速容易に行うことができる。
【００２８】
また、両引掛片２８ｃを立上り片３５の両側縁３５ａに係合させることによりエッジ片
２９の長手方向に沿う前後進ａ，ｂ方向の負荷に対抗し、両引掛片２８ｃをエッジ片２９
に引っ掛けることにより前後進ａ，ｂ方向とは直交する左右方向ｇ，ｈの負荷に対抗し、
フック３７ａをフック孔３８に嵌入させることにより前後進ａ，ｂ及び左右方向ｇ，ｈに
対して直交する上下方向ｉ，ｊの負荷に対抗するようになっており、従来必要であったウ
ォ−ム軸受固定用ビス３２（図１２参照）が不要であると共に、そのビスをねじ込むため
のねじ孔３１（図１２参照）も不要であるから、その不要となった分だけ安価な構造にす
ることができる。
【００２９】
図２に示すように、アーム２８Ｂの基端部に補強突起部４０が一体突設されており、こ
れによって、アーム２８Ｂの基端部が補強されているから、該アーム２８Ｂを比較的強く
弾性変位させてそのアーム２８Ｂの先端軸受部２８ｄをウォ−ムギヤ１３Ｂの遊端に確実
に押し付けて、該ウォ−ムギヤ１３Ｂがウォ−ムホイール１３Ａから離間しないように支
持することができる。
【００３０】
上記の実施の形態では、ビス３２及びねじ孔３１が不要であると説明したが、念のため
に、図３に示すように、トラバースシャーシ４にねじ孔３１を形成すると共に、そのねじ
孔３１に対抗して、底板２８ａに半円形状のビス挿通部４１を形成することが好ましく、
この場合、図６に示すように、ビス挿通部４１を通ってねじ孔３１にビス３２を必要に応
じてねじ込むことにより、底板２８ａをトラバースシャーシ４に止着して、念のため、従
来と同じように軸受本体２８Ａをトラバースシャーシ４に固定することもできる。
【産業上の利用可能性】
【００３１】
上記の実施の形態では、ＤＶＤプレーヤを例にあげて説明したが、これに限定されるわ
けではなく、例えばＤＶＤレコーダなどの各種のディスク装置にも適用される。
【図面の簡単な説明】
【００３２】
【図１】本発明の実施の一形態であるディスク装置の要部の下面側斜視図である。
【図２】同ウォ−ム軸受の正面側斜視図である。
【図３】同ウォ−ム軸受の裏面側斜視図である。
【図４】同ウォ−ム軸受の正面側分解斜視図である。
【図５】（ａ）は同ウォ−ム軸受の正面図、（ｂ）は同平面図、（ｃ）はＡ−Ａ矢視図、（ｄ）はＢ−Ｂ矢視図である。
【図６】（ａ）は同変形例を示す平面図、（ｂ）はＣ−Ｃ矢視図である。
【図７】ディスク装置の概略平面図である。
【図８】同縦断面図である。
【図９】従来例の下面側斜視図である。
【図１０】同ウォ−ム軸受の正面側斜視図である。
【図１１】同ウォ−ム軸受の裏面側斜視図である。
【図１２】同ウォ−ム軸受の裏面側分解斜視図である。
【符号の説明】
【００３３】
４        トラバースシャーシ
４ａ      トラバースシャーシの中央開口部
６        ターンテーブル
８        光ピックアップ
１２      ラック・ピニオン機構
１３      ウォ−ム機構
１３Ａ    ウォ−ムホイール
１３Ｂ    ウォ−ムギヤ
１４      フィードモータ
２８      ウォ−ム軸受
２８Ａ    ウォ−ム軸受の軸受本体
２８Ｂ    ウォ−ム軸受のアーム
２８ａ    軸受本体の底板
２８ｂ    軸受本体の側板
２８ｃ    軸受本体の引掛片
２８ｄ    アームの先端軸受部
２９      エッジ片
３２      ビス
３５      立上り片
３６      スリット
３７      弾性片
３７ａ    フック
３８      フック孔
４０      補強突起部
４１      ビス挿通部
Ｄ        ディスク
【図１】
0004591706.tif 000002
【図２】
0004591706.tif 000003
【図３】
0004591706.tif 000004
【図４】
0004591706.tif 000005
【図５】
0004591706.tif 000006
【図６】
0004591706.tif 000007
【図７】
0004591706.tif 000008
【図８】
0004591706.tif 000009
【図９】
0004591706.tif 000010
【図１０】
0004591706.tif 000011
【図１１】
0004591706.tif 000012
【図１２】
0004591706.tif 000013